(57)【要約】      （修正有）【課題】高級感があり、見栄えにも優れ、取り付け対象物に簡単かつしっかりと留め付けることができ、片面印刷と、紙折りでできる、クリップ部付きメッセージカードと、突出紙片付きメッセージカードと、台紙付きメッセージカードを提供する。【解決手段】クリップ部付きメッセージカード１Ａは、メッセージカード本体２と、該メッセージカード本体の背面側に一体となって設けられたクリップ部９とを有する。クリップ部９は、メッセージカード本体２から突出した突出紙片３を背面側に折り曲げられ、更に突出紙片３の片側面をメッセージカード本体２の表面に重なる向きに折り曲げられ、この片側面の先端になる小先端部をメッセージカード本体２の切り込み６内に挟み入れられて出来ている。【選択図】図１
2018171880.tif 000002
【特許請求の範囲】
【請求項１】
紙製のメッセージカード本体と、該メッセージカード本体の背面側に一体となって設けられたクリップ部とを有し、
前記メッセージカード本体の表面には、メッセージ文字が印刷されており
前記クリップ部は、前記メッセージカード本体の前記横縁部における前記角部寄りの一部線上に設けられた折り部を境にして外方向に突出する突出紙片が背面側に折り曲げられ、更に該突出紙片の片側面が前記メッセージカード本体の表面に重なる向きに折り曲げられて直角に交わる２片が袋閉じになっており、
前記メッセージカード本体の表面側に向けられた前記片側面の先端になる小先端部が、前記メッセージカード本体に設けられている切り込み内に挟み入れられて、前記クリップ部の位置決めがされていることを特徴とするクリップ部付きメッセージカード。
【請求項２】
紙製のメッセージカード本体と、該メッセージカード本体の背面側に一体となって設けられたクリップ部とを有し、
前記メッセージカード本体の表面には、印刷又は書き込みによるメッセージ文字記入欄が設けられており、
前記クリップ部は、前記メッセージカード本体の前記横縁部における前記角部寄りの一部線上に設けられた折り部を境にして外方向に突出する突出紙片が背面側に折り曲げられ、更に該突出紙片の片側面が前記メッセージカード本体の表面に重なる向きに折り曲げられて直角に交わる２片が袋閉じになっており、
前記メッセージカード本体の表面側に向けられた前記片側面の先端になる小先端部が、前記メッセージカード本体に設けられている切り込み内に挟み入れられて、前記クリップ部の位置決めがされていることを特徴とするクリップ部付きメッセージカード。
【請求項３】
請求項２に記載のクリップ部付きメッセージカードが、折り曲げ前の形状で定型サイズの台紙に取り外し可能に支持されている、台紙付きメッセージカード。
【発明の詳細な説明】
【技術分野】
【０００１】  本発明は、高級感と見栄えに優れ、受け取る人に感動を与え、取り付け対象物に簡単かつしっかりと留め付けることができ、片面印刷と、紙折りでできる、クリップ部付きメッセージカードと、突出紙片付きメッセージカードと、台紙付きメッセージカードに関する。
【背景技術】
【０００２】  メッセージカードを、大判のポップアップグリーティングカード、アルバム、祝儀袋、賞状等に留めた状態で添付すると、受け取る人の関心を惹く。
従来型のメッセージカードには、例えば特許文献１に示す形状及び使用方法で取付対象物に付けられる。
メッセージを、相手に歓心をもって受け止めて頂くためには、メッセージカードのデザインにも更に工夫することが望まれる。例えば、上品な凹凸感のあるメッセージカードにするのも一つの考え方である。
【先行技術文献】
【特許文献】
【０００３】
【特許文献１】意匠登録第１３９８９７９号公報
【特許文献２】特開２００２−１９３３７号公報
【発明の概要】
【発明が解決しようとする課題】
【０００４】  本発明は、高級感があり、見栄えにも優れ、取り付け対象物に簡単かつしっかりと留め付けることができ、片面印刷と、紙折りでできる、クリップ部付きメッセージカードと、突出紙片付きメッセージカードと、台紙付きメッセージカードを提供することを可決課題とする。
【課題を解決するための手段】
【０００５】  請求項１の発明に係るクリップ部付きメッセージカードは、次の構成を備える。
（１）紙製のメッセージカード本体と、該メッセージカード本体の背面側に一体となって設けられたクリップ部とを有する。
（２）前記メッセージカード本体の表面には、メッセージ文字が印刷されており
前記クリップ部は、前記メッセージカード本体の前記横縁部における前記角部寄りの一部線上に設けられた折り部を境にして外方向に突出する突出紙片が背面側に折り曲げられ、更に該突出紙片の片側面が前記メッセージカード本体の表面に重なる向きに折り曲げられて直角に交わる２片が袋閉じになっている。
（３）前記メッセージカード本体の表面側に向けられた前記片側面の先端になる小先端部が、前記メッセージカード本体に設けられている切り込み内に挟み入れられて、前記クリップ部の位置決めがされている。【０００６】  本発明に係るクリップ部付きメッセージカードは、クリップ部がメッセージカード本体の背面片側上端部に設けられている種類と、前記メッセージカード本体の背面片側下端部に設けられている種類とがある。
前記クリップ部は、直角の角部（隅部）を形成する２辺の位置で折り曲げられて出来ている。
この折り曲げは、前記メッセージカード本体の一部面を内側に挟んだ前記突出紙片の折り曲げであり、前記突出紙片を背面側に向ける折り曲げと、この折り曲げに続く前記突出紙片の片側半分を表側に向ける折り曲げとからなる。このため、前記突出紙片の一方の片側面が前記背面側折り重ね面になり、横方向に突出する他方の片側面が前記表面側折り重ね面になり、双方の折り重ね面の間に前記メッセージカード本体の一部面が位置する。前記表面側折り重ね面の横方向の先端部は、三角形状の角部が想定されるが、例えば、小さな舌片形状も含まれる。このため、請求項１及び後述する請求項２の記載においては、小先端部という語を用いた。【０００７】  この小先端部を前記メッセージカード本体側の前記切り込み内に突入させると、前記表面側折り重ね面の開放端部側の係止がされる。この結果、前記背面側折り重ね面を含めた前記クリップ部の位置決めがされる。この位置決めは、前記背面側折り重ね面の張りの無い浮き上がりを含む。【０００８】  クリップ部付きメッセージカードは、大型のグリーティングカード、大型のグリーティング台紙、ギフト用絵本、賞状、祝儀袋、等の取り付け対象物の角部に差し込んで使用する。【０００９】  本発明に係るクリップ部付きメッセージカードの表面には、印刷またはプリンターによって、メッセージや名前等の文字の他、枠模様、絵柄、着色等が選択的に使用されている。例えば、クリップ部付きメッセージカードが文字印刷に適しない和紙で出来ている場合には、メッセージカード本体の表面にメッセージカードや名前等の文字が印刷された紙片を貼り付けるようにしてもよい。
前記表面側折り重ね面の形状は、直角三角形が基本となるが、斜辺になる縁部は直線形状に限定されない。円弧形状や模様のある凹凸形状であってもよい。【００１０】  請求項１に係るクリップ部付きメッセージカードと、請求項２に係るクリップ部付きメッセージカードとの違いは、メッセージカード本体の表面にメッセージや名前等の文字が印刷されているのか、後に印刷するために空欄になっているか否かの違いによる。この違いはクリップ部付きメッセージカードの状態で顧客に提供されるのか、突出紙片付きメッセージカードの状態で顧客に提供されるかの違いにある、【００１１】  請求項３に係る突出紙片付きメッセージカードは。台紙に支持されている。
異形状で比較的小さな突出紙片付きメッセージカードは、台紙で支持されていなければ、印刷機やプリンターで印字するのが容易でないため、定型の台紙に取り付けられている。
【発明の効果】
【００１２】  本発明によれば、メッセージカード本体から突出する突出紙片を背面側に折り曲げた片側面と前記メッセージカード本体の対向面とによって、メッセージカード本体の背面側に設けられており、しがも直角になる２辺が折り曲げ部分である。このため、クリップ部の一部を構成する背面側折り重ね面の不用意な浮き上がりなく、張りを失わず、形状安定性に優れたクリップ部を備えたクリップ部付きメッセージカードにすることができる。【００１３】  このクリップ部付きメッセージカードを、大型のグリーティングカード、大型のグリーティング台紙、ギフト用絵本、賞状、祝儀袋、等の取り付け対象物の角部に留め付けると、従来のメッセージカードには無い表面側折り重ね面による高級感と感動を受け取る人に感じて頂くことができる。このため、メッセージが与えるか印象も一層高くなる。【００１４】  メッセージ記入欄が未記入であり、突出紙片が折り曲げられる前の突出紙片付きメッセージカードが定型の台紙から取り外しが可能な台紙付きメッセージカードによれば、相手先に提供する枚数が少ない場合、小ロットで多数枚が必要な場合に、コスト高になるオフセット印刷の代わりに、パソコンプリンターでメッセージ文字や名前等の記入が行える。【００１５】  本発明に係るクリップ部付きメッセージカードは、片面印刷でメッセージカード本体の表面とクリップ部の表面側折り重ね面と背面側折り重ね面とを印刷できる利点がある。
【発明を実施するための形態】
【００１６】  本発明の好適なる３種類の実施形態を図面に対応させて詳述する。
【図面の簡単な説明】
【００１７】
【図１】本発明の各請求項と各実施形態と対応図面との対応を構成の要旨とともに示した図。
【図２】（ａ）は第１実施形態に係るクリップ部付きメッセージカードを表面側から見た斜視図、（ｂ）は背面側から見た斜視図、（ｃ）は（ｂ）におけるＡ−Ａ拡大断面図。
【図３】（ａ）は第１実施形態に係るクリップ部付きメッセージカードの折り曲げ前の状態を表面側から見た斜視図、（ｂ）はこれを背面側から見た斜視図。
【図４】（ａ）と（ｂ）は突出紙片の折り曲げ手順を示した図、（ｃ）は折り曲げ後の挿み入れを示した図。
【図５】（ａ）は切り込みの基本形状を示した図、（ｂ）は切り込みの他形状を示した図、（ｃ）は突出紙片の他形状例を示した図、（ｄ）は突出紙片の折り曲げ挿み入れ後の状態を示した図。
【図６】第１実施形態に係るクリップ部付きメッセージカードの使用状態を示す斜視図。
【図７】（ａ）は第２実施形態に係る台紙付きメッセージカードを表面側から見た斜視図、（ｂ）は背面図。
【図８】（ａ）は第３実施形態に係る台紙付きメッセージカードを表面側から見た斜視図、（ｂ）は背面図。
【図９】通信情報端末とプリンターを利用したメッセージ及び名前等を記入する方法を示した図。
【図１０】（ａ）は第３実施形態に係るクリップ部付きメッセージカードを表面側から見た斜視図、（ｂ）は背面図。
【図１１】第３実施形態に係るクリップ部付きメッセージカードの折り方を示した図。
【図１２】第３実施形態に係るクリップ部付きメッセージカードの折り方を示した図。
【図１３】、（ａ）（ｂ）は突出紙片の折り曲げ挿み入れ後の状態を示した図。
【図１４】（ａ）は第４実施形態に係る台紙付きメッセージカードを表面側から見た斜視図、（ｂ）は背面図。
【実施例】
【００１８】  図１は、本発明の各請求項と各実施形態とを対応させて示した図であり、この図に示すように、本発明の実施形態は、クリップ部付きメッセージカード１Ａと、突出紙片付きメッセージカード１Ｂと、台紙付きメッセージカード５０Ａ，５０Ｂとがある。【００１９】  その１つであるクリップ部付きメッセージカード１Ａが図２に示されている。
このクリップ部付きメッセージカード１Ａは、メッセージカード本体２の背面側の１つの角部面にクリップ部９が設けられている。メッセージカード本地２とグリップ部８は、一体であり、折り曲げによって区切られている。この折り曲げは、メッセージカード本体２の背面側に背面側折り重ね面３Ｂが重なり、メッセージカード本体２の表面側に表面側折り重ね面３Ａが重なる折り曲げである。
表面側折り重ね面３Ａと、背面側折り重ね面３Ｂは、直角三角形であり、背面側折り重ね面３Ｂの一角を形成する小先端部３ａがメッセージカード本体２に設けられた切り込み６内に突入して、背面側折り重ね面３Ｂの浮き上がりを防止させ、延いては、クリップ部９の形状の位置決めをさせている。【００２０】  メッセージカード本体２の表面２１と、表面側折り重ね面３Ａと、背面側折り重ね面３Ｂには、枠形状の着色と絵模様が印刷されている。メッセージカード本体２の表面２１は、メッセージと名前が印刷されている。【００２１】  クリップ部付きメッセージカード１Ａの折り曲げ前の状態である、突出紙片ッ付きメッセージカード１Ｂが図３に示されている。図３に示すように、メッセージカード本体２の上縁部２ｂの左側には、三角形状の突出紙片３が上方に突出している。突出紙片３の片側半分面は左側に突出しており、左側に突出した面が表面側折り重ね面３Ａになり、右側面が背面側折り重ね面３Ｂになる。背面側折り重ね面３Ｂとメッセージカード本体２との境界には折り部４が形成されている。表面側折り重ね面３Ａと背面側折り重ね面３Ｂとを区切る境界にも折り部６が形成されている。【００２２】  突出紙片付きメッセージカード１Ｂは、図４に示す手順で突出紙片３を折り曲げることによって、図２に示すクリップ部付きメッセージカード１Ａになる。
最初の折り曲げで突出紙片３の全体をメッセージカード本体２の背面側に重ね合わせ、次の折り曲げで突出紙片３の片側になる表面側折り重ね面３Ａをメッセージカード本体２の表面２１に重なる方向に折り曲げる。そして最後に小先端部３ａを切り込み６内に挿し込む。
このようにすると、メッセージカード本体２の背面側の１個所の角部辺りの面に、背面側折り重ね面３Ｂとその対向面とによるクリップ部９が出来る。図２（ｂ）に示すようにクリップ部９の奥になる直角を形成する２辺は折り部４，５による袋閉じになっており、斜辺部３は袋口になる。このため、クリップ部付きメッセージカード１Ａは、クリップ９を利用して、直角の角部（丸み処理されたものも含む）をもつ厚紙等で出来た取付け対象物に挿し込んで留め付けることが出来る。【００２３】  図５（ａ）（ｂ）に示すように、切り込み６は筋状でもよく、細長の楕円形状でもよい。切り込み６を長孔にすると、縦方向の裂けが生じにくく、小先端部３ａを入れ易い。
図５（ａ）（ｂ）に示すように、表面側折り重ね面３Ａの開放側縁部３ｂは、直線に限らず、模様を縁録りした形状にすることも可能である。【００２４】  図６に示すように、クリップ部付きメッセージカード１Ａは、例えば、２つ折りができるポップアップグリーティングカード１００に取り付けて使用する。【００２５】  図７に示す突出紙片付きメッセージカード１Ｃは、台紙５１突出紙片ッ付きメッセージカード１Ｃが取り外し可能に支持された、台紙付きメッセージカード５０Ａになっている。突出紙片付きメッセージカード１Ｃと台紙５１とは、弱粘着性剥離紙を介した支持を例に挙げることができるが、これに限定されない。
この突出紙片付きメッセージカード１Ｃは、表面２１が白紙の状態にあり、台紙付きメッセージカード５０Ａのまま印刷し、この後、台紙５１から取り外す。【００２６】  図８に示す突出紙片付きメッセージカード１Ｄの場合には、突出紙片付きメッセージカード１Ｄの表面に色模様や枠飾りが印刷されている。このため、メッセージや名前を印刷したり。プリンターで印字することができる。【００２７】  図９に示すように、プリンターで印字する場合、所望の台紙つきメッセージカード５０Ｂを購入し、インターネットで入力画面用データを取得し、台紙付きメッセージカード５０Ｂ（５０Ａ）を購入し、Ｓ１〜Ｓ７のステップを踏むと、個人でもパソコン操作で文字入力と印字が行える。
印刷会社は、インターネットを通じて顧客が入力したデータを受け取って、印刷した台紙付きメッセージカード５０Ｂ（５０Ａ）を顧客に提供できるようになる。【００２８】  図１０〜図１２は、メッセージカード本体２の下部側にクリップ部９を設けたクリップ部付きメッセージカード１Ｆにする折り方は示されている。
図１３に示すように、クリップ部付きメッセージカード１Ｆの場合も、表面側折り重ね面３Ａの開放側縁部３ｂは、直線に限らず、模様を縁録りした形状にすることも可能である。
このクリップ部付きメッセージカード１Ｅの場合も、図１４に示すように、例えば、２つ折りができるポップアップグリーティングカード１００に取り付けて使用する。
【産業上の利用分野】
【００２９】  本発明に係るクリップ部付きメッセージカードは、贈答品、商品等に添付されるメッセージカードの分野で利用される。
【符号の説明】
【００３０】１Ａ  クリップ部付きメッセージカード
１Ｂ  突出紙片付きメッセージカード
５０Ａ，５０Ｂ  台紙付きメッセージカード
２  メッセージカード本体
３  突出紙片
３Ａ  表面側折り重ね面
３Ｂ  背面側折り重ね面
９  クリップ部
【図１】
2018171880.tif 000003
【図２】
2018171880.tif 000004
【図３】
2018171880.tif 000005
【図４】
2018171880.tif 000006
【図５】
2018171880.tif 000007
【図６】
2018171880.tif 000008
【図７】
2018171880.tif 000009
【図８】
2018171880.tif 000010
【図９】
2018171880.tif 000011
【図１０】
2018171880.tif 000012
【図１１】
2018171880.tif 000013
【図１２】
2018171880.tif 000014
【図１３】
2018171880.tif 000015
【図１４】
2018171880.tif 000016